(57)【要約】　　　（修正有）【課題】本発明は、極めて商品価値の高い画期的な作業台を提供する。【解決手段】作業板部１と、この作業板部１の両端部に折畳み回動自在に連結された脚部２とから成る作業台であって、フック状係止部４に係止する係止棒体３はフック状係止部４に対して係合付勢機構５に抗して係合離反移動自在に設けられており、作業板部１に対して折畳み状態の脚部２を回動させて所定角度まで開放回動させた際、係止棒体３は係合付勢機構５の付勢に抗しながら前記フック状係止部４に設けた傾斜部４ａに乗り上げ移動した後、フック状係止部４の係止凹部４ｂに落ち込み係止して、作業板部１に対して脚部２が回動ロック状態となるように構成され、このフック状係止部４の係止凹部４ｂに係止する係止棒体３を係合付勢機構５に抗して係合離反移動させることで脚部２の回動ロック状態は解除されるように構成されたものである。【選択図】　　　　図１
2004092214.tif 000002
【特許請求の範囲】
【請求項１】
作業板部と、この作業板部の両端部に折畳み回動自在に連結されて、作業板部を所定高さ位置に水平保持する脚部とから成る作業台であって、前記作業板部若しくは脚部に設けられるフック状係止部に係止する係止棒体を脚部若しくは作業板部に設け、この係止棒体はフック状係止部に対して係合付勢機構に抗して係合離反移動自在に設けられており、作業板部に対して折畳み状態の脚部を回動させて所定角度まで開放回動させた際、係止棒体は係合付勢機構の付勢に抗しながら前記フック状係止部に設けた傾斜部に乗り上げ移動した後、フック状係止部の係止凹部に落ち込み係止して、作業板部に対して脚部が回動ロック状態となるように構成され、このフック状係止部の係止凹部に係止する係止棒体を係合付勢機構に抗して係合離反移動させることで脚部の回動ロック状態は解除され、作業板部に対して折り畳み状態となるように脚部を閉塞回動し得るように構成されていることを特徴とする作業台。
【請求項２】
前記フック状係止部を作業板部の端部所定位置に設け、このフック状係止部に係止する係止棒体を脚部の上部に横設したことを特徴とする請求項１記載の作業台。
【発明の詳細な説明】
【０００１】
【発明の属する技術分野】
本発明は、例えば内装工事や照明，エアコンなどの取り付け，修理などを行なう場合に使用される作業台に関するものである。
【０００２】
【従来の技術及び発明が解決しようとする課題】
従来から、作業板部の左右両端部に脚部を折り畳み自在に設け、この各脚部には複数の足掛け桟が設けられ、この足掛け桟から作業台部に踏み上がって作業台部に立ち、作業をする作業台が普及しており、例えば内装工事や照明，エアコンなどの取り付け，修理などを行なう場合に多用されている。
【０００３】
ところで、この作業台を構成する作業板部と脚部との連結位置には、作業板部に対して折畳み状態の脚部を回動させて所定角度まで開放回動させた際、この脚部の開放状態を回動ロックするロック機構が設けられている。
【０００４】
このロック機構は、作業板部と脚部との連結部位にして前後部位となる計４箇所に設けられ、作業板部若しくは脚部に突設される突起と、この突起に係止する鉤状部を先端に有し、脚部若しくは作業板部に枢着される架設体とで構成されており、脚部を開放状態とし、架設体を擺動させて突起に鉤状部を係止させることで、脚部の閉塞方向への回動をロックし得るように構成されている。
【０００５】
ところが、実際の作業現場において、折畳み状態から使用状態への切り替え作業、使用状態から折畳み状態への切り替え作業を行う度に全てのロック機構を操作しなければならず非常に煩わしいとされる。万一、このロック機構の操作が煩わしくて一部或いは全てのロック機構をしない場合や、作業を急ぐあまりロックが不完全であるにもかかわらず、これに気が付かずに作業板部上で作業を行った場合には非常に危険である。
【０００６】
本発明は、上述の問題点に鑑み、極めて商品価値の高い画期的な作業台を提供するものである。
【０００７】
【課題を解決するための手段】
添付図面を参照して本発明の要旨を説明する。
【０００８】
作業板部１と、この作業板部１の両端部に折畳み回動自在に連結されて、作業板部１を所定高さ位置に水平保持する脚部２とから成る作業台であって、前記作業板部１若しくは脚部２に設けられるフック状係止部４に係止する係止棒体３を脚部２若しくは作業板部１に設け、この係止棒体３はフック状係止部４に対して係合付勢機構５に抗して係合離反移動自在に設けられており、作業板部１に対して折畳み状態の脚部２を回動させて所定角度まで開放回動させた際、係止棒体３は係合付勢機構５の付勢に抗しながら前記フック状係止部４に設けた傾斜部４ａに乗り上げ移動した後、フック状係止部４の係止凹部４ｂに落ち込み係止して、作業板部１に対して脚部２が回動ロック状態となるように構成され、このフック状係止部４の係止凹部４ｂに係止する係止棒体３を係合付勢機構５に抗して係合離反移動させることで脚部２の回動ロック状態は解除され、作業板部１に対して折り畳み状態となるように脚部２を閉塞回動し得るように構成されていることを特徴とする作業台に係るものである。
【０００９】
また、前記フック状係止部４を作業板部１の端部所定位置に設け、このフック状係止部４に係止する係止棒体３を脚部２の上部に横設したことを特徴とする請求項１記載の作業台に係るものである。
【００１０】
【発明の実施の形態】
好適と考える本発明の実施の形態（発明をどのように実施するか）を、図面に基づいてその作用効果を示して簡単に説明する。
【００１１】
本発明は、使用に際し、作業板部１に対して折畳み状態の脚部２を回動させて所定角度まで開放回動させた際、係止棒体３は係合付勢機構５の付勢に抗しながらフック状係止部４に設けた傾斜部４ａに乗り上げ移動した後、フック状係止部４の係止凹部４ｂに落ち込み係止して、作業板部１に対して脚部２が回動ロック状態となる。この脚部２の回動ロック状態の際、フック状係止部４に対して係止棒体３は係合付勢機構５により係合方向に付勢されている。
【００１２】
この作業板部１に対して脚部２が回動ロックされた状態で作業者は作業板部１上にて作業を行うことができる。
【００１３】
また、例えば作業終了後、脚部２を折り畳む際には、フック状係止部４の係止凹部４ｂに係止する係止棒体３を係合付勢機構５に抗して係合離反移動させることで脚部２の回動ロック状態を解除し、そのまま脚部２を閉塞回動させることで作業板部１に対して折り畳み状態とする。
【００１４】
従って、脚部２を開放回動させる開放動作と同時に閉塞方向への回動がロックされることになるから、一連の動作で簡易且つ確実にロックされることになり非常に作業性が向上することになり、しかも、フック状係止部４に対する係止棒体３の係止は単なる係止ではなく、係合付勢機構５により付勢された状態の係止であるから非常に堅固な回動ロック状態が得られることになる。
【００１５】
また、係止棒体３を係合付勢機構５に抗して移動させるだけでフック状係止部４への係止状態が解除されるから、折畳み状態から使用状態への切り替え作業は勿論、使用状態から折畳み状態への切り替え作業が非常に簡易に且つ迅速に行えることになる。
【００１６】
【実施例】
本発明の具体的な実施例について図面に基づいて説明する。
【００１７】
本実施例として図示した作業台Ａは、水平状板部たる作業板部１の左右両端部に折り畳み自在に脚部２を設け、この脚部２は作業台部１の架設高さを調整する高さ調整機構６を有する梯子状に設けている。
【００１８】
具体的には、脚部２を並設支柱２ａ間に足掛け桟２ｂを複数架設して構成され、この脚部２の支柱２ａに取付杆６ａを引き出し自在に並設し、この取付杆６ａの下端に接地部６ｂを設けた構成とし、この取付杆６ａは、支柱２ａに設けた取付座６ｃの取付孔に挿通すると共に、この取付座６ｃに設けたバネ６ｄにより付勢される可動板６ｅの取付孔に挿通し、この可動板６ｅをバネ６ｄに抗して可動して取付孔を平行状態とすることで取付杆６ａを引き出し調整でき、可動板６ｅから手を放せばバネ６ｄの付勢により取付孔が傾きこの可動板６ｅにより係止固定されるように前記高さ調整機構６を構成している。
【００１９】
本実施例はこのような高さ調整可能な作業台Ａの作業板部１と脚部２との左右の枢着連結部位夫々に脚部２の開放状態を保持するロック機構７を設けている。
【００２０】
具体的には、このロック機構７は、前記作業板部１に設けられるフック状係止部４に係止する係止棒体３を脚部２に設け、この係止棒体３はフック状係止部４に対して係合付勢機構５に抗して係合離反移動自在に設けられており、作業板部１に対して重合状態の脚部２を回動させて所定角度まで開放回動させた際、係止棒体３は係合付勢機構５に抗して移動した後、フック状係止部４へ落ち込み係止して、作業板部１に対して脚部２が回動ロック状態となるように構成されている。
【００２１】
更に具体的に説明すると、作業板部１の左右両端部にして前後位置（四隅）にはフック状係止部４が設けられ、この各フック状係止部４には後述する係止棒体３が乗り上げ移動する傾斜部４ａと、この傾斜部４ａを乗り上げた際に落ち込み係止する係止凹部４ｂが設けられている。尚、フック状係止部４は図示したように作業板部１の左右両端部夫々に２個ずつ設ける場合の他、片側１個ずつでも良く、この場合、製造コストが安くなる。
【００２２】
また、このフック状係止部４の係止凹部４ｂに係合する係止棒体３は脚部２に横設されている。
【００２３】
この係止棒体３は、脚部２の並設支柱２ａの上部間に架設されるもので、当該支柱２ａに形成される長孔２ａ’に沿ってスライド移動自在に設けられている。
【００２４】
この長孔２ａ’の形成方向は、作業板部１に脚部２を連結した際、作業板部１の長さ方向（内側方向）となるように形成されている。
【００２５】
また、脚部２は、その支柱２ａ夫々に内方に突設された取付板８を作業板部１に設けられた取付板９に重合状態とし、この重合部位に止着棒体１０を嵌挿させて回動自在に枢着連結されており、この脚部２に設けられる係止棒体３には該係止棒体３に所定間隔を介して対設される止着棒体１０に連結される係合付勢機構５としての発条５が連結されている。
【００２６】
従って、この発条５により係止棒体３は常時一方向にして作業板部１の内側方向に付勢されており、脚部２を作業板部１に対して開放状態とした際、係止棒体３はフック状係止部４の係止凹部４ｂに係合付勢されるように構成されている。
【００２７】
以上の構成から、作業板部１に対して重合状態の脚部２を所定角度まで開放回動させた際、係止棒体３は、係合付勢機構５の付勢に抗しながらフック状係止部４の傾斜部４ａに乗り上げ移動した後、フック状係止部４の係止凹部４ｂに落ち込み係止することになる（図４，５参照）。
【００２８】
脚部２を折畳む際には、係止棒体３を握持して係合付勢機構５の付勢に抗して移動させて係止凹部４ｂとの係合を解除し、この状態で脚部２を閉塞回動させて折畳むことができる（図６，７参照）。
【００２９】
よって、本実施例によれば、脚部２を開放回動させる開放動作と同時に閉塞方向への回動がロックされることになるから、一連の動作で簡易且つ確実にロックされることになり非常に作業性が向上することになり、しかも、係止部４に対する係止体３の係合は単なる係合ではなく、係合付勢機構５により付勢された状態の係合であるから非常に堅固な回動ロック状態が得られることになる。
【００３０】
また、本実施例は、係止棒体３を係合付勢機構５に抗して移動させるだけでフック状係止部４への係止状態が解除されるから、折畳み状態から使用状態への切り替え作業は勿論、使用状態から折畳み状態への切り替え作業が非常に簡易に且つ迅速に行えることになる。
【００３１】
尚、本発明は、本実施例に限られるものではなく、各構成要件の具体的構成は適宜設計し得るものである。
【００３２】
【発明の効果】
本発明は上述のように構成したから、折畳み状態から使用状態への切り替え作業、そして、使用状態から折畳み状態への切り替え作業が非常に簡易に且つ迅速に行えることになるなど極めて商品価値の高い画期的な作業台となる。
【００３３】
また、請求項２記載の発明においては、例えば作業板部に対して脚部を折り畳み状態とした際には、フック状係止部に係止棒体が係止して堅固な回動ロック状態が得られることになり、この係止棒体をフック状係止部に対して係合離反方向に移動させるだけで簡単に回動ロック状態を解除することができるなど極めて商品価値の高い画期的な作業台となる。
【図面の簡単な説明】
【図１】本実施例を示す斜視図である。
【図２】本実施例に係る要部を説明する分解斜視図である。
【図３】本実施例に係る要部の概略動作説明図である。
【図４】本実施例に係る要部の概略動作説明図である。
【図５】本実施例に係る要部の概略動作説明図である。
【図６】本実施例に係る要部の概略動作説明図である。
【図７】本実施例に係る要部の概略動作説明図である。
【符号の説明】
１　作業板部
２　脚部
３　係止棒体
４　フック状係止部
４ａ　傾斜部
４ｂ　係止凹部
５　係合付勢機構
【図１】
2004092214.tif 000003
【図２】
2004092214.tif 000004
【図３】
2004092214.tif 000005
【図４】
2004092214.tif 000006
【図５】
2004092214.tif 000007
【図６】
2004092214.tif 000008
【図７】
2004092214.tif 000009